(57)【要約】【課題】潜熱回収型給湯器から湯が供給される構成において、酸性のドレン排水が排出されることを抑制できる洗浄機及び合流部品を提供する。【解決手段】洗浄機１は、洗剤を含有する洗浄水を用いて被洗浄物を洗浄する洗浄工程で使用した洗浄し及び濯ぎ工程で使用した濯ぎ水を貯留する洗浄タンク１５と、洗浄タンク１５に貯留された洗浄水を排出する排出部２１Ａと、排出部２１Ａから排出された洗浄水とドレン排水排出部７８ａから排出されたドレン排水とを合流させる合流部９０と、を備える。【選択図】図２
2017029396.tif 000002
【特許請求の範囲】
【請求項１】
燃焼装置により発生した熱との熱交換によって水を加熱する熱交換器と、前記熱交換器における潜熱回収時に発生するドレン排水を排出するドレン排水排出部と、を備える潜熱回収型給湯器から供給される給水を貯湯タンクに貯留し、前記貯湯タンク内の濯ぎ水を洗浄室内に収容された被洗浄物に噴射して濯ぎ工程を行う洗浄機であって、
洗剤を含有する洗浄水を用いて前記被洗浄物を洗浄する洗浄工程で使用した前記洗浄水及び前記濯ぎ工程で使用した前記濯ぎ水を貯留する洗浄タンクと、
前記洗浄タンクに貯留された前記洗浄水を排出する排出部と、
前記排出部から排出された前記洗浄水と前記ドレン排水排出部から排出された前記ドレン排水とを合流させる合流部と、を備える、洗浄機。
【請求項２】
前記合流部は、
前記排出部から排出された前記洗浄水と前記ドレン排水排出部から排出された前記ドレン排水とを貯留する貯留部と、
前記貯留部に貯留された前記洗浄水及び前記ドレン排水との混合水を排出する混合水排出部と、を備える、請求項１に記載の洗浄機。
【請求項３】
前記合流部は、前記排出部から排出された前記洗浄水と前記ドレン排水排出部から排出された前記ドレン排水とを合流させるバルブである、請求項１に記載の洗浄機。
【請求項４】
燃焼装置により発生した熱との熱交換によって水を加熱する熱交換器、及び、前記熱交換器における潜熱回収時に発生するドレン排水を排出するドレン排水排出部を備える潜熱回収型給湯器から供給される給水を貯留する貯湯タンクと、
洗剤を含有する洗浄水を用いて洗浄室内に収容された被洗浄物を洗浄する洗浄工程で使用した前記洗浄水、及び、前記貯湯タンク内の濯ぎ水を前記被洗浄物に噴射する濯ぎ工程で使用した前記濯ぎ水を貯留する洗浄タンクと、
前記洗浄タンクに貯留された前記洗浄水を排出する排出部と、を備える洗浄機に用いられる合流部品であって、
前記洗浄機の前記排出部から排出された前記洗浄水と、前記潜熱回収型給湯器の前記ドレン排水排出部から排出された前記ドレン排水とを合流させる、合流部品。
【発明の詳細な説明】
【技術分野】
【０００１】
本発明は、食器などの被洗浄物の洗浄を行う洗浄機及び合流部品に関する。
【背景技術】
【０００２】
洗浄機は、貯湯タンク内の濯ぎ水を洗浄室内に収容された被洗浄物に噴射して濯ぎを行う。近年、洗浄機では、潜熱回収型ガス給湯器において加熱した水を、貯湯タンクに供給する構成が採用されている。潜熱回収型ガス給湯器は、燃焼ガスを発生させる燃焼装置と、燃焼装置で発生した燃焼ガスとの熱交換によって内部を流れる水を加熱する一次熱交換器及び二次熱交換器と、を備えている（例えば、特許文献１参照）。
【先行技術文献】
【特許文献】
【０００３】
【特許文献１】特開平９−２６２８５号公報
【発明の概要】
【発明が解決しようとする課題】
【０００４】
潜熱回収型ガス給湯器では、二次熱交換器における潜熱回収時に、ガス燃焼由来の凝縮水であるドレン排水が発生する。ドレン排水は、燃焼ガス中に微量に含まれる窒素酸化物等が溶け込むため、酸性となる。酸性のドレン排水は、汚水として分類されるため、自治体によっては排出が規制されている。そのため、潜熱回収型ガス給湯器は、ドレン排水を中和剤によって中和する中和器を備えている。中和器に充填される中和剤は、消耗品である。そのため、中和器の中和剤が無くなった場合、ドレン排水が中和されずに排出されるおそれがある。
【０００５】
本発明は、潜熱回収型給湯器から湯が供給される構成において、酸性のドレン排水が排出されることを抑制できる洗浄機及び合流部品を提供することを目的とする。
【課題を解決するための手段】
【０００６】
本発明に係る洗浄機は、燃焼装置により発生した熱との熱交換によって水を加熱する熱交換器と、熱交換器における潜熱回収時に発生するドレン排水を排出するドレン排水排出部と、を備える潜熱回収型給湯器から供給される給水を貯湯タンクに貯留し、貯湯タンク内の濯ぎ水を洗浄室内に収容された被洗浄物に噴射して濯ぎ工程を行う洗浄機であって、洗剤を含有する洗浄水を用いて被洗浄物を洗浄する洗浄工程で使用した洗浄水及び濯ぎ工程で使用した濯ぎ水を貯留する洗浄タンクと、洗浄タンクに貯留された洗浄水を排出する排出部と、排出部から排出された洗浄水とドレン排水排出部から排出されたドレン排水とを合流させる合流部と、を備える。
【０００７】
この洗浄機では、合流部は、排出部から排出された洗浄水とドレン排水排出部から排出されたドレン排水とを合流させる。洗浄水に含有される洗剤には、一般的に、アルカリ性の洗剤が用いられる。そのため、洗浄水は、アルカリ性である。ドレン排水は、燃焼装置により発生した燃焼ガスに含まれる窒素酸化物などが溶け込むため酸性である。洗浄機は、洗浄水とドレン排水とを合流部により合流させるため、酸性のドレン排水の水素イオン指数（Ｐｈ）をアルカリ性の洗浄水によって下げることができる。その結果、酸性のドレン排水が中和され得る。したがって、洗浄機は、潜熱回収型給湯器から湯が供給される構成において、酸性のドレン排水が排出されることを抑制できる。
【０００８】
一実施形態においては、合流部は、排出部から排出された洗浄水とドレン排水排出部から排出されたドレン排水とを貯留する貯留部と、貯留部に貯留された洗浄水及びドレン排水との混合水を排出する混合水排出部と、を備えていてもよい。洗浄水とドレン排水とを貯留部に貯留することにより、洗浄水とドレン排水とを効果的に混合させることできる。そのため、洗浄水によって、酸性のドレン排水の水素イオン指数をより効果的に下げることができる。
【０００９】
一実施形態においては、合流部は、排出部から排出された洗浄水とドレン排水排出部から排出されたドレン排水とを合流させるバルブであってよい。合流部をバルブにすることにより、洗浄水とドレン排水とを確実に合流させることできる。また、洗浄水とドレン排水とを貯留する部分を有していないため、合流部の小型化を図ることができる。その結果、合流部の設置スペースを小さくすることができる。
【００１０】
本発明に係る合流部品は、燃焼装置により発生した熱との熱交換によって水を加熱する熱交換器、及び、熱交換器における潜熱回収時に発生するドレン排水を排出するドレン排水排出部を備える潜熱回収型給湯器から供給される給水を貯留する貯湯タンクと、洗剤を含有する洗浄水を用いて洗浄室内に収容された被洗浄物を洗浄する洗浄工程で使用した洗浄水、及び、貯湯タンク内の濯ぎ水を被洗浄物に噴射する濯ぎ工程で使用した濯ぎ水を貯留する洗浄タンクと、洗浄タンクに貯留された洗浄水を排出する排出部と、を備える洗浄機に用いられる合流部品であって、洗浄機の排出部から排出された洗浄水と、潜熱回収型給湯器のドレン排水排出部から排出されたドレン排水とを合流させる。
【００１１】
この合流部品では、洗浄機の排出部から排出された洗浄水と、潜熱回収型給湯器のドレン排水排出部から排出されたドレン排水とを合流させる。洗浄水に含有される洗剤には、一般的に、アルカリ性の洗剤が用いられる。そのため、洗浄水は、アルカリ性である。ドレン排水は、燃焼装置により発生した燃焼ガスに含まれる窒素酸化物などが溶け込むため酸性である。合流部品は、洗浄水とドレン排水とを合流させるため、酸性のドレン排水の水素イオン指数（Ｐｈ）をアルカリ性の洗浄水によって下げることができる。その結果、酸性のドレン排水が中和され得る。したがって、洗浄機に用いられる合流部品は、洗浄機が潜熱回収型給湯器から湯が供給される構成において、酸性のドレン排水が排出されることを抑制できる。
【００１２】
一実施形態においては、合流部品は、排出部から排出された洗浄水とドレン排水排出部から排出されたドレン排水とを貯留する貯留部と、貯留部に貯留された洗浄水及びドレン排水との混合水を排出する混合水排出部と、を備えていてもよい。洗浄水とドレン排水とを貯留部に貯留することにより、洗浄水とドレン排水とを効果的に混合させることできる。そのため、洗浄水によって、酸性のドレン排水の水素イオン指数をより効果的に下げることができる。
【００１３】
一実施形態においては、排出部から排出された洗浄水とドレン排水排出部から排出されたドレン排水とを合流させるバルブであってもよい。合流部品をバルブにすることにより、洗浄水とドレン排水とを確実に合流させることできる。また、洗浄水とドレン排水とを貯留する部分を有していないため、合流部品の小型化を図ることができる。その結果、合流部品の設置スペースを小さくすることができる。
【発明の効果】
【００１４】
本発明によれば、潜熱回収型給湯器から湯が供給される構成において、酸性のドレン排水が排出されることを抑制できる。
【図面の簡単な説明】
【００１５】
【図１】一実施形態に係る食器洗浄機の斜視図である。
【図２】食器洗浄機の概略構成を示す断面図である。
【図３】潜熱回収型給湯器の構成を示す図である。
【図４】合流部の構成を示す図である。
【図５】他の実施形態に係る合流部の構成を示す図である。
【図６】他の実施形態に係る合流部の構成を示す図である。
【発明を実施するための形態】
【００１６】
以下、添付図面を参照して、本発明の好適な実施形態について詳細に説明する。なお、図面の説明において同一又は相当要素には同一符号を付し、重複する説明は省略する。図面の寸法比率は、説明のものと必ずしも一致していない。
【００１７】
図１及び図２に示されるように、食器洗浄機１は、ステンレス製のパネルで覆われた洗浄機本体２を有している。洗浄機本体２は、洗浄室３が形成された上側部分２Ａと、機械室４が形成された下側部分２Ｂと、に仕切られている。洗浄機本体２の背面側におけるコーナ部には、上側部分２Ａと下側部分２Ｂとに渡って上下方向に延びる支柱６が配置されている。支柱６と支柱６との間には、背面パネル５が配置されている。
【００１８】
また、洗浄機本体２の上側部分２Ａには、洗浄室３の開閉を行うための箱型のドア７が設けられている。このドア７は、ステンレス製の一対の支柱６，６により上下動自在に案内されると共に、前方において水平方向に延在するハンドル８Ａによって上下動する。このハンドル８Ａの両端には、左右一対の回動アーム８Ｂ，８Ｂの先端が固定されている。各回動アーム８Ｂ，８Ｂは、ドア７の側面７Ａに沿って斜めに配置されている。各回動アーム８Ｂ，８Ｂには、ドア７の側面７Ａに沿って配置されたリンク部８Ｃの一端が回動自在に連結されている。リンク部８Ｃの他端は、軸ピン８Ｄを介してドア７に連結されている。このような構成により、ドア７は、ハンドル８Ａの回動運動に対して上下運動可能である。洗浄機本体２の底面の四隅には、脚部９が取り付けられている。
【００１９】
洗浄室３内には、ラックレール（図示せず）が着脱自在に配置されている。飲食後の皿や茶碗などの食器（被洗浄物）Ｐが並べられた格子状の食器ラック１１は、ラックレール上に載置される。洗浄室３の上部には、放射状に延びる３本のアームからなる上側洗浄ノズル１２Ａと、２本のアームからなる上側濯ぎノズル１３Ａとがそれぞれ回転自在に配置されている。同様に、洗浄室３の下部には、放射状に延びる３本のアームからなる下側洗浄ノズル１２Ｂと、２本のアームからなる下側濯ぎノズル１３Ｂとがそれぞれ回転自在に配置されている。食器ラック１１に並べられた食器Ｐは、上側及び下側洗浄ノズル１２Ａ，１２Ｂによって上下から洗浄水が噴射され、濯ぎノズル１３Ａ，１３Ｂによって上下から濯ぎ水が噴射される。
【００２０】
洗浄室３の底面３Ａには、第１フィルタ１４が着脱自在に配置されている。第１フィルタ１４の下方、すなわち、機械室４の上方には、洗浄水を貯留するための洗浄タンク１５が配置されている。洗浄タンク１５内には、洗浄能力及び殺菌能力を向上させるために洗浄水を加熱する洗浄水ヒータ１６と、この洗浄水の温度を検知するための洗浄水温センサ１７と、が設置されている。
【００２１】
洗浄タンク１５の底面１５Ａには、第１フィルタ１４より目の細かいメッシュ状の第２フィルタ１８が着脱自在に配置されている。第２フィルタ１８の下方には、底面１５Ａの一部が落ち込むようにして形成された落込部１９が配置されている。落込部１９の底面１９Ａには排水口１９Ｂが形成されている。排水口（排出部）１９Ｂには、排水管（排出部）２１Ａが接続されている。
【００２２】
洗浄タンク１５には、上下方向に延びるオーバーフロー管２１が設けられている。オーバーフロー管２１の上端は、洗浄タンク１５の上縁に位置している。オーバーフロー管２１の下端は、落込部１９の底面１９Ａに形成された排水口１９Ｂに嵌め込まれている。余剰な洗浄水は、オーバーフロー管２１の上端部に形成された流入孔から管内に流れ込み、排水管２１Ａを介して外部に排出される。
【００２３】
オーバーフロー管２１は、洗浄タンク１５に対して取り外し可能になっている。使用者がオーバーフロー管２１を引き上げることで、オーバーフロー管２１が差し込まれていた排水口１９Ｂが落込部１９の底面１９Ａから露出し、この排水口１９Ｂから洗浄タンク１５内の洗浄水が完全に排水される。
【００２４】
洗浄タンク１５の落込部１９には、洗浄水吸込管２２を介して洗浄ポンプ２３が接続されている。洗浄ポンプ２３の吐出口には、洗浄水吐出管２４が接続されている。洗浄水吐出管２４は、第１洗浄水吐出管２５と第２洗浄水吐出管２６とに分岐している。第１洗浄水吐出管２５は、上側洗浄ノズル１２Ａに接続されている。第２洗浄水吐出管２６は、下側洗浄ノズル１２Ｂに接続されている。
【００２５】
また、機械室４内には、濯ぎ水となる給水が供給される貯湯タンク２８が配置されている。この貯湯タンク２８内には、殺菌能力を向上させるために濯ぎ水を保温（加熱）する濯ぎ水ヒータ２９と、この濯ぎ水の温度を検知するための濯ぎ水温センサ３１と、水位を検知する水位センサ３２と、が配置されている。貯湯タンク２８には、後述する潜熱回収型ガス給湯器（潜熱回収型給湯器）６０から給水（湯）が供給される。潜熱回収型ガス給湯器６０と貯湯タンク２８との間に設けられている電磁弁８２は、水位センサ３２における水位の検知と連動して弁を開閉し、貯湯タンク２８内の水位を一定に保つ。また、貯湯タンク２８内には、余剰な濯ぎ水を外部に排出して一定水位に保つためのオーバーフロー管（図示せず）が設置されていてもよい。
【００２６】
貯湯タンク２８には、濯ぎ水吸込管３３を介して濯ぎポンプ３４が接続されている。濯ぎポンプ３４の吐出口には、濯ぎ水吐出管３６が接続されている。濯ぎ水吐出管３６は、第１濯ぎ水吐出管３７と第２濯ぎ水吐出管３８とに分岐している。第１濯ぎ水吐出管３７は、上側濯ぎノズル１３Ａに接続されている。第２濯ぎ水吐出管３８は、下側濯ぎノズル１３Ｂに接続されている。なお、貯湯タンク２８は、機械室４の外側に設けられてもよい。
【００２７】
機械室４内には、洗浄タンク１５内の洗浄水に混入させるための洗剤を貯留した洗剤タンク３９が配置されている。洗剤は、水素イオン指数（Ｐｈ）が例えば１１〜１４の強アルカリ性洗剤である。洗剤タンク３９には、洗剤吸込管４１を介して洗剤供給ポンプ４２が接続されている。洗剤供給ポンプ４２の吐出口には洗剤吐出管４３の一端が接続されている。洗剤吐出管４３の他端４３Ａは、洗浄室３内に位置して下方に向かって開口している。
【００２８】
続いて、上述の潜熱回収型ガス給湯器６０について説明する。図３に示されるように、潜熱回収型ガス給湯器６０は、バーナー（燃焼装置）６２と、ファン６４と、熱交換器６６と、給水管６８と、排気部７０と、ドレン排水管（ドレン排水排出部）７２と、中和器７４と、備えている。
【００２９】
バーナー６２は、燃焼ガスを発生させる。バーナー６２は、例えば、ガスを原料として燃焼ガスを発生させる。ファン６４は、バーナー６２の燃焼用空気を供給する。ファン６４は、例えば、バーナー６２の下方に配置されている。ファン６４は、熱交換器６６内において、下方から上方に向かって燃焼ガスが流れるように、燃焼用空気を供給する。
【００３０】
熱交換器６６は、一次熱交換器７６と、二次熱交換器７８と、を備えている。一次熱交換器７６は、顕熱回収型の熱交換器である。一次熱交換器７６は、バーナー６２で発生する燃焼ガスとの間で熱交換を行う。一次熱交換器７６は、例えば、フィンなどを備えている。一次熱交換器７６は、バーナー６２に対して、二次熱交換器７８よりも下方に配置されている。すなわち、一次熱交換器７６は、二次熱交換器７８よりも、バーナー６２に近い位置に配置されている。
【００３１】
二次熱交換器７８は、潜熱回収型の熱交換器である。潜熱は、燃焼ガス中の水蒸気を凝縮する際に出る熱である。二次熱交換器７８は、潜熱との間で熱交換を行う。二次熱交換器７８は、例えば、フィンなどを備えている。二次熱交換器７８は、バーナー６２に対して、一次熱交換器７６よりも上方に配置されている。
【００３２】
給水管６８は、一次熱交換器７６及び二次熱交換器７８により加熱される給水（加熱された給水）が流れる。給水管６８の一端は、水の供給源（図示せず）に接続されている。給水管６８の他端は、図２に示されるように、貯湯タンク２８に接続されている。給水管６８は、一次熱交換器７６及び二次熱交換器７８を通過する。具体的には、給水管６８は、給水の流れる方向において、二次熱交換器７８を通過した後に一次熱交換器７６を給水が通過するように配設されている。これにより、給水管６８を流れる給水は、二次熱交換器７８において加熱された後に、一次熱交換器７６において加熱される。給水管６８には、給水ポンプ８０が接続されている。
【００３３】
排気部７０は、熱交換器６６内の燃焼ガスを排気する。排気部７０は、二次熱交換器７８の上部に接続されている。
【００３４】
ドレン排水管７２は、ドレン排水を排出する。ドレン排水は、二次熱交換器７８による潜熱回収時に発生する凝縮水である。ドレン排水は、燃焼ガス中に微量に含まれる窒素酸化物（ＮＯＸ）などが溶け込むため酸性となる。ドレン排水管７２の一端は、二次熱交換器７８に設けられたドレン排水口７８ａ（ドレン排水排出部）に接続されている。ドレン排水管７２の他端は、後述する合流部９０に接続されている。ドレン排水管７２は、潜熱回収型ガス給湯器６０の運転に伴い発生してドレン排水口７８ａから排出されたドレン排水を、合流部９０において排出する。
【００３５】
中和器７４は、酸性のドレン排水を中和する。中和器７４は、ドレン排水管７２に設けられている。中和器７４は、中和剤によって、ドレン排水をｐＨ７程度に中和処理して排出する。中和剤は、中和器７４に充填されている。中和剤は、例えば、炭酸カルシウム（ＣａＣＯ３）である。
【００３６】
上記構成を有する潜熱回収型ガス給湯器６０は、水位センサ３２における水位の検知結果に基づいて動作し、貯湯タンク２８に給湯する。
【００３７】
本実施形態では、食器洗浄機１は、排水口１９Ｂから排出されて排水管２１Ａを介して排出される洗浄水と、潜熱回収型ガス給湯器６０のドレン排水口７８ａから排出されてドレン排水管７２を介して排出されるドレン排水とを合流させる合流部（合流部品）９０を備えている。本実施形態では、合流部９０は、機械室４の外側であって、洗浄機本体２の底面２Ｄよりも下方に位置している。また、合流部９０は、食器洗浄機１の脚部９の間のスペースに位置している。なお、合流部９０は、機械室４内に配置されていてもよい。
【００３８】
合流部９０は、排水管２１Ａとドレン排水管７２との接続部分である。合流部９０は、例えば、上下方向に延びる排水管２１Ａの側面にドレン排水管７２を接続する。合流部９０により、排水管２１Ａを流れる洗浄水とドレン排水管７２から排出されたドレン排水とが合流する。合流部９０により合流された洗浄水及びドレン排水の混合水は、排水管２１Ａにより排出される。なお、合流部９０は、排水管２１Ａとドレン排水管７２とを接続するＴ型（三方型）コネクタ等の合流部品であってもよい。
【００３９】
なお、ドレン排水管７２には、バルブが設けられていてもよい。また、排水管２１Ａには、排水管２１Ａ内を流れる洗浄水を検出するセンサが設けられていてもよい。これらの構成において、排水管２１Ａを洗浄水が流れることをセンサで検出したときに、ドレン排水管７２のバルブを開放する構成であってもよい。これにより、排水管２１Ａを流れる洗浄水とドレン排水管７２から排出されたドレン排水とをより確実に合流させることができる。
【００４０】
次に、食器洗浄機１の動作について説明する。食器洗浄機１は、電源スイッチがＯＮされると、貯湯タンク２８内の濯ぎ水を濯ぎポンプ３４によって洗浄室３へ噴射することにより、洗浄タンク１５内へ水が供給される。貯湯タンク２８内の濯ぎ水の温度は、８０℃前後に設定されている。これにより初期給湯が行われる。潜熱回収型ガス給湯器６０は、水位センサ３２における水位の検知結果に基づいて貯湯タンク２８に給湯する。初期給湯が行われると、当該初期給湯量に合った量の洗剤が洗剤タンク３９から洗浄タンク１５内へ供給されて、洗浄タンク１５内の洗浄水の洗剤濃度が所定濃度となる。
【００４１】
初期給湯後、ユーザが食器Ｐをラッキングして、ドア７を閉めると、ドアスイッチ（図示せず）により、ドアが閉められたことが検知されると共に、運転開始信号がマイコン（図示せず）へ入力される。運転開始信号がマイコンへ入力されると、食器の洗浄が開始される。食器の洗浄は、洗浄タンク１５内の洗浄水を洗浄室３内の食器Ｐに向けて噴射することにより行われる。洗浄タンク１５内の洗浄水の温度は、６０℃〜７０℃となるように設定されている。
【００４２】
洗浄ポンプ２３が始動することにより、洗浄タンク１５内に貯留された洗浄水は、洗浄水吐出管２４などを介して上側及び下側洗浄ノズル１２Ａ，１２Ｂに圧送されて、各洗浄ノズル１２Ａ，１２Ｂから洗浄室３内の食器Ｐに向けて噴射される。このとき、各洗浄ノズル１２Ａ，１２Ｂは噴射力の反力によって回転し続けるため、洗浄水が食器Ｐに満遍なく当てられて、食器Ｐの汚れが効率良く洗い落とされる。
【００４３】
この洗浄室３内に噴射された洗浄水は、食器Ｐから洗い落とされた残菜などが第１フィルタ１４によって取り除かれつつ洗浄タンク１５内に回収される。さらに、第２フィルタ１８によって細かい残菜が取り除かれた後、洗浄ポンプ２３により再び洗浄室３内に循環供給される。
【００４４】
次に、濯ぎポンプ３４が始動することにより、貯湯タンク２８内に貯留された濯ぎ水は、濯ぎ水吐出管３６などを介して上側及び下側濯ぎノズル１３Ａ，１３Ｂに圧送されて、各濯ぎノズル１３Ａ，１３Ｂから食器Ｐに向けて噴射される。貯湯タンク２８から圧送される濯ぎ水の温度は、８０℃前後に設定されている。このとき、各濯ぎノズル１３Ａ，１３Ｂもまた、噴射力の反力によって回転し続けるため、濯ぎ水が食器Ｐに満遍なく当てられて、食器Ｐの濯ぎが効率良く行われる。
【００４５】
この食器Ｐに噴射された濯ぎ水は、第１フィルタ１４を介して洗浄タンク１５内に回収されて洗浄水と混ざり合い、次回の洗浄工程における洗浄水として使用される。洗浄室３内に濯ぎ水が噴射されて洗浄タンク１５内に回収されると、一定水位を超える余剰な洗浄水は、オーバーフロー管２１から排水される。オーバーフロー管２１から排出される排水の温度は、６０℃前後となっている。なお、１回の濯ぎ工程あたり、例えば、２リットルの排水が排出される。
【００４６】
オーバーフロー管２１から排出された排水は、排水管２１Ａを介して排出される。また、潜熱回収型ガス給湯器６０から排出されたドレン排水は、ドレン排水管７２を介して排出される。排水管２１Ａを介して排出される洗浄水とドレン排水管７２を介して排出されるドレン水は、合流部９０により合流する。合流部９０によって合流させられた洗浄水及びドレン排水は、排水管２１Ａを介して排出される。
【００４７】
以上説明したように、本実施形態に係る食器洗浄機１では、合流部９０は、排水口１９Ｂから排出されて排水管２１Ａを介して排出される洗浄水と、潜熱回収型ガス給湯器６０のドレン排水口７８ａから排出されてドレン排水管７２を介して排出されるドレン排水とを合流させる。洗浄水に含有される洗剤は、アルカリ性である。そのため、洗浄水は、アルカリ性である。ドレン排水は、バーナー６２により発生した燃焼ガスに含まれる窒素酸化物等が溶け込むため酸性である。食器洗浄機１は、洗浄水とドレン排水とを合流部９０により合流させるため、酸性のドレン排水の水素イオン指数をアルカリ性の洗浄水によって下げることができる。その結果、酸性のドレン排水が中和され得る（ドレン排水が希薄になる）。したがって、食器洗浄機１は、潜熱回収型ガス給湯器６０から湯が供給される構成において、酸性のドレン排水が排出されることを抑制できる。
【００４８】
また、食器洗浄機１では、合流部９０によって洗浄水とドレン排水とが合流するため、アルカリ性の洗剤を含有する洗浄水の水素イオン指数を酸性のドレン排水によって上げることができる。その結果、食器洗浄機１は、強アルカリ性の洗浄水が排出されることを抑制できる。
【００４９】
本発明は、上記実施形態に限られるものではなく、発明の趣旨を逸脱しない範囲で種々の変更が可能である。
【００５０】
［第１変形例］
図４に示されるように、合流部９０Ａは、排水口１９Ｂから排出されて排水管２１Ａを介して排出される洗浄水と、潜熱回収型ガス給湯器６０のドレン排水口７８ａから排出されてドレン排水管７２を介して排出されるドレン排水とを貯留する貯留タンク（貯留部）９２Ａと、貯留タンク９２Ａに貯留された洗浄水及びドレン排水との混合水を排出する混合水排出管（混合水排出部）９４Ａと、を備えている。混合水排出管９４Ａの一端は、貯留タンク９２Ａ内に位置し、その上端部が貯留タンク９２Ａの所定の水位に位置している。これにより、混合水排出管９４Ａは、貯留タンク９２Ａにおいて所定水位まで達した混合水を貯留タンク９２Ａ外に排出する。
【００５１】
合流部９０Ａでは、洗浄水とドレン排水とを貯留タンク９２Ａに貯留することにより、洗浄水とドレン排水とを効果的に混合させることできる。そのため、合流部９０Ａを備える食器洗浄機１では、洗浄水によって、酸性のドレン排水の水素イオン指数をより効果的に下げることができる。また、合流部９０Ａでは、貯留タンク９２Ａにおいてドレン排水を貯留できるため、洗浄水とドレン排水とが排出されるタイミングが異なる場合であっても、ドレン排水のみが排出されることを抑制できる。したがって、酸性のドレン排水が排出されることを抑制できる。
【００５２】
［第２変形例］
図５に示されるように、合流部９０Ｂは、排水口１９Ｂから排出されて排水管２１Ａを介して排出される洗浄水と、潜熱回収型ガス給湯器６０のドレン排水口７８ａから排出されてドレン排水管７２を介して排出されるドレン排水とを貯留する貯留部９２Ｂと、貯留部９２Ｂに貯留された洗浄水及びドレン排水との混合水を排出する混合水排出部９４Ｂと、を備えている。貯留部９２Ｂ及び混合水排出部９４Ｂは、管状の部材からなり、排水管２１Ａの下端に接続されている。貯留部９２Ｂ及び混合水排出部９４Ｂは、排水管２１Ａと一体に成形されていてもよい。
【００５３】
貯留部９２Ｂは、排水管２１Ａの下端（洗浄水の流れの下流側）に接続されており、上下方向に延びる排水管２１Ａに略直交する方向に延在する部分を有している。混合水排出部９４Ｂは、貯留部９２Ｂにおける洗浄水の流れの下流側に接続されている。混合水排出部９４Ｂの底面の少なくとも一部は、貯留部９２Ｂの底面よりも高さ位置が高い部分を有する。これにより、合流部９０Ｂでは、貯留部９２Ｂにおいて所定水位に達するまで混合水が貯留され、所定水位に達した混合水が混合水排出部９４Ｂから排出される。
【００５４】
合流部９０Ｂでは、洗浄水とドレン排水とを貯留部９２Ｂに貯留することにより、洗浄水とドレン排水とを効果的に混合させることできる。そのため、合流部９０Ｂを備える食器洗浄機１では、洗浄水によって、酸性のドレン排水の水素イオン指数をより効果的に下げることができる。また、合流部９０Ｂでは、貯留部９２Ｂにおいてドレン排水を貯留できるため、洗浄水とドレン排水とが排出されるタイミングが異なる場合であっても、ドレン排水のみが排出されることを抑制できる。したがって、酸性のドレン排水が排出されることを抑制できる。
【００５５】
［第３変形例］
図６に示されるように、合流部９０Ｃは、排水口１９Ｂから排出されて排水管２１Ａを介して排出される洗浄水と、潜熱回収型ガス給湯器６０のドレン排水口７８ａから排出されてドレン排水管７２を介して排出されるドレン排水とを合流させるミキシングバルブである。
【００５６】
合流部９０Ｃは、排水管２１Ａが接続される第１ポート９５と、ドレン排水管７２が接続される第２ポート９６と、第１ポート９５から流入した洗浄水と第２ポート９６から流入したドレン排水とが混合された混合水が排出される排出ポート９７と、を有している。第１ポート９５からの洗浄水の流入、及び、第２ポート９６からのドレン水の流入のそれぞれは、例えば、電磁弁によって制御可能とされている。
【００５７】
合流部９０Ｃでは、洗浄水を第１ポート９５から流入させるタイミングと、ドレン排水を第２ポート９６から流入させるタイミングとが合うように電磁弁が制御される。これにより、排水管２１Ａから洗浄水が排出されるタイミングで、洗浄水とドレン排水とが合流部９０Ｃにおいて合流し、混合水が排出ポート９７から排出される。また、合流部９０Ｃは、第２ポート９６の電磁弁が常に開放されていてもよい。
【００５８】
合流部９０Ｃでは、ミキシングバルブを採用しているため、洗浄水とドレン排水とを確実に合流させることできる。また、洗浄水とドレン排水とを貯留する部分を有していないため、合流部９０Ｃの小型化を図ることができる。その結果、合流部９０Ｃの設置スペースを小さくすることができる。
【００５９】
上記実施液体では、貯湯タンク２８に、濯ぎ水ヒータ２９と、濯ぎ水温センサ３１と、が配置されている形態を一例に説明した。しかし、潜熱回収型ガス給湯器６０から湯が供給される構成においては、濯ぎ水ヒータ２９及び濯ぎ水温センサ３１が設けられていなくてもよい。
【００６０】
上記実施形態及び変形例では、潜熱回収型ガス給湯器６０が中和器７４を備える形態を一例に説明した。しかし、潜熱回収型ガス給湯器は、中和器を備えていなくてもよい。中和器を備えない構成であっても、合流部において洗浄水とドレン排水とが合流してドレン排水の水素イオン指数が下げられるため、酸性のドレン排水が排出されることを抑制できる。中和器を備えない潜熱回収型ガス給湯器では、中和器を収納するスペースを確保する必要がないため、小型化を図ることが可能となる。
【００６１】
上記実施形態及び変形例では、燃焼装置がガスを原料とする潜熱回収型ガス給湯器６０を一例に説明した。しかし、潜熱回収型給湯器の燃焼装置は、例えば、石油を原料としてもよい。
【００６２】
上記実施形態及び変形例の合流部は、上述したようなドアが上下に開閉するタイプの食器洗浄機１に適用するだけでなく、例えば、オーブンのように洗浄機本体の前面側にドアが設けられたタイプの食器洗浄機、又は、食器を収容するためのラックを搬送しながら洗浄を行うコンベアタイプの食器洗浄機などにも適用することができる。
【００６３】
本願発明は、上記実施形態及びその他の変形例を適宜組み合わせてもよい。
【符号の説明】
【００６４】
１…食器洗浄機、３…洗浄室、１５…洗浄タンク、１９Ｂ…排水口（排出部）、２１Ａ…排水管（排出部）、２８…貯湯タンク、６０…潜熱回収型ガス給湯器（潜熱回収型給湯器）、６６…熱交換器、７２…ドレン排水管（ドレン排水排出部）、７６…一次熱交換器、７８…二次熱交換器、７８ａ…ドレン排水口（ドレン排水排出部）、９０，９０Ａ，９０Ｂ，９０Ｃ…合流部（合流部品）、９２Ａ…貯留タンク（貯留部）、９２Ｂ…貯留部、９４Ａ…混合水排出管（混合水排出部）、９４Ｂ…混合水排出部、Ｐ…食器（被洗浄物）。
【図１】
2017029396.tif 000003
【図２】
2017029396.tif 000004
【図３】
2017029396.tif 000005
【図４】
2017029396.tif 000006
【図５】
2017029396.tif 000007
【図６】
2017029396.tif 000008